(57)【要約】【課題】  燃焼を検知するセンサ自体の不具合をチェックし、失火状態を適正に監視して誤制御を防止することのできる失火検知装置を提供する。【解決手段】  火炎からの放射光を受光可能な方向にそれぞれ配置された第１および第２センサ２，３と、この各センサ２，３にそれぞれ接続され、対応するセンサ２，３が火炎の放射光を受光したときに検出信号を出力する第１および第２検出回路４，５と、これら検出回路４，５の出力が導かれ、第１または第２検出回路４，５からの検出信号が入力しないときに、不一致を示す信号を出力する不一致判別回路６と、この不一致判別回路６からの出力信号を受けると計時手段７，８を動作させてカウントを開始し、予め設定された所定時間が経過したときに、前記第１または第２センサ２，３の動作不良を示す信号を出力する制御回路１０と、を備えた。【選択図】      図１
0003116556.tif 000002
【実用新案登録請求の範囲】
【請求項１】
火炎からの放射光を受光可能な方向にそれぞれ配置された第１および第２センサと、
この各センサにそれぞれ接続され、対応するセンサが火炎の放射光を受光したときに検出信号を出力する第１および第２検出回路と、
これら検出回路の出力が導かれ、第１または第２検出回路からの検出信号が入力しないときに、不一致を示す信号を出力する不一致判別回路と、
この不一致判別回路からの出力信号を受けると計時手段を動作させてカウントを開始し、予め設定された所定時間が経過したときに、前記第１または第２センサの動作不良を示す信号を出力する制御回路と、を備えた失火検知装置。
【考案の詳細な説明】
【技術分野】
【０００１】
本考案は、燃焼炎を検知するセンサにより失火を監視する失火検知装置に係り、特に、センサ自体の不具合をチェックし得る失火検知装置に関するものである。
【背景技術】
【０００２】
ボイラーやコジェネレーションシステム等は、燃焼室に向けたバーナからの燃焼炎を検知し、失火状態になって爆発が発生する危険を防止するために失火検知装置を備えている。
この失火検知装置は、燃焼炎を検知するセンサとして、火炎から放射される紫外線を受光するウルトラビジョン（紫外線光電管）が広く使用されている。
【０００３】
このウルトラビジョンは、火炎の放射光を受光すべく火炎に近づけて燃焼室の壁面等に配置される。そして、このウルトラビジョンには、火炎の紫外線を受光したとき、検出信号を出力する検出回路が接続される。また、この検出回路の出力は、装置全体を制御するコントローラに与えられるようになっている。
これにより、着火によりバーナから燃焼炎が放射され、センサが紫外線を検知すると、検出回路から検出信号がコントローラに送出される。
よって、この検出信号がコントローラに入力している間は、燃焼状態にあることを検知できる一方、この検出信号が入力しなくなると、失火状態になったことを検知することができる。
【考案の開示】
【考案が解決しようとする課題】
【０００４】
ところで、この失火検知装置は、バーナに対してセンサを１個しか備えていないため、失火の監視が不充分であるという問題があった。
すなわち、センサは、燃焼炎からの放射光を確実に受光できるよう、火炎に接近して配置されているため、すす等で汚れ易くなっている。また、ウルトラビジョンは、光電変換式であることから、経年劣化により適正な信号を出力できなくなることがある。
すると、バーナが適正な燃焼状態にあっても、検出信号が送出されないためにコントローラが失火状態になったと判断し、誤制御を惹起する問題が生じていた。
【０００５】
本考案は、上記のような課題を解決するためになされたもので、燃焼を検知するセンサ自体の不具合をチェックし、失火状態を適正に監視して誤制御を防止することのできる失火検知装置を提供することを目的としている。
【課題を解決するための手段】
【０００６】
上記目的を達成するため、本発明の失火検知装置は、火炎からの放射光を受光可能な方向にそれぞれ配置された第１および第２センサと、この各センサにそれぞれ接続され、対応するセンサが火炎の放射光を受光したときに検出信号を出力する第１および第２検出回路と、これら検出回路の出力が導かれ、第１または第２検出回路からの検出信号が入力しないときに、不一致を示す信号を出力する不一致判別回路と、この不一致判別回路からの出力信号を受けると計時手段を動作させてカウントを開始し、予め設定された所定時間が経過したときに、前記第１または第２センサの動作不良を示す信号を出力する制御回路と、を備えたことを特徴としている。
【考案の効果】
【０００７】
以上説明したように本考案によれば、第１または第２検出回路からの検出信号が入力しなくなって所定時間が経過したとき、火炎からの放射光を受光する第１または第２センサの動作不良を示す信号を出力するので、劣化等に起因するセンサ自体の不具合を的確に認識し、失火の監視を適正に行うことができる効果がある。
【考案を実施するための最良の形態】
【０００８】
以下、本考案に係る失火検知装置の実施形態について、図面を参照しながら詳述する。
図１は本考案の一実施形態である失火検知装置の電気的構成を示すブロック線図である。
この失火検知装置１は、ボイラーやコジェネレーションシステム等に備えられるもので、１対のセンサ２，３や検出部４，５、不一致判別部６およびコントローラ１０等からなり、図示省略したバーナの燃焼炎を検知し、失火状態を監視する構成となっている。
【０００９】
第１および第２センサ２，３は、紫外線光電管からなるウルトラビジョンであって、火炎から放射される紫外線を受光したとき光電変換により信号電圧を出力するようになっている。
このセンサ２，３は、図２および図３に示すように、センサ本体１２に１対が収納されている。このセンサ本体１２は、前部に開口１２ａを有し後部に小孔１２ｂを設けた略円筒状で、耐熱材により形成されている。
【００１０】
そして、このセンサ本体１２は、第１および第２センサ２，３の受光部が前部開口１２ａから同一方向へ向くように保持し、各センサ２，３の端子部に接続された耐熱リード線１３を後部小孔１２ｂから引き出している。
また、このリード線１３を介して、第１センサ２に第１検出部４が、第２センサ３に第２検出部５がそれぞれ接続されるようになっている。
このように構成されたセンサ本体１２は、火炎の放射光を受光し易い距離に各センサ２，３を近づけて燃焼室の壁面等に配置される。
これにより、第１および第２センサ２，３が同一方向に向けられるので、燃焼炎の紫外線を的確に受光することができる。
【００１１】
前記第１および第２検出部４，５は、Ａ／Ｄ変換器を備えたもので、図１に示す如く各出力側が不一致判別部６の入力側にそれぞれ接続されている。
この第１および第２検出部４，５は、前記各センサ２，３からアナログの信号電圧が送出されてくるとディジタル信号に変換し、センサ２，３が火炎の紫外線を受光したことを示す検出信号を不一致判別部６に出力する。
【００１２】
この不一致判別部６は、論理回路からなり、出力をコントローラ１０に与えるようになっている。
この不一致判別部６は、第１および第２検出部４，５からの検出信号が入力すると、一致を示す信号を出力する。
一方、第１または第２検出部４，５の何れかから検出信号が入力しないときに、不一致を示す信号をコントローラ１０側に出力する構成になっている。
【００１３】
このコントローラ１０は、装置全体を制御するマイコンであって、タイマ７、カウンタ８およびメモリ９等を備えており、入出力用のＩ／Ｏ回路１１が接続されている。
なお、メモリ９は、時間データ用のワークメモリであって、ユーザーが入力手段により所定の時間を入力すると、その時間データを記憶する。本例では、予め５秒に設定してある。
このコントローラ１０は、不一致判別部６から不一致信号が送出されてきたときにカウンタ８を動作させて時間のカウントを開始し、予め設定された所定時間が経過したときに、第１または第２センサ２，３の動作不良を示す信号をＩ／Ｏ回路１１側に出力する構成になっている。
【００１４】
次に、上記失火検知装置の動作について、図を参照しながら説明する。
オペレーターがバーナに着火すると、燃焼室内で火炎が放射される。第１および第２センサ２，３が、燃焼炎から放射される紫外線を受光すると、信号電圧をそれぞれ出力する。
第１検出部４は、第１センサ２から信号電圧が送出されてくると、ディジタル信号を不一致判別部６に出力する。また、第２検出部５も、第２センサ３から信号電圧が送出されてくると、ディジタル信号を不一致判別部６に出力する。
【００１５】
この不一致判別部６は、第１および第２検出部４，５からの検出信号が入力すると、一致を示す信号をコントローラ１０側に出力する。このため、コントローラ１０は、バーナ着火後の燃焼が正常であると判断する。
この燃焼時、第１または第２検出部４，５の何れかから検出信号が入力しないとき、不一致判別部６から不一致を示す信号をコントローラ１０側に出力する。
すると、このコントローラ１０は、バーナの燃焼が異常で失火が発生したと判断する。そして、カウンタ８を動作させて時間のカウントを開始し、予め設定された所定の５秒が経過したときに、第１または第２センサ２，３の動作不良を示す信号を出力する。従って、５秒が経過しない間は、この信号が送出されない。
【００１６】
このように、不一致を示す信号がコントローラに入力しないときは、燃焼が正常であるとし、不一致を示す信号が５秒間続けて入力すると、失火状態になったことを検知する。
よって、燃焼炎に接近して配置されている何れか一方のセンサ２，３が、すす等で汚れていたり、経年劣化で適正な信号を出力できない場合に、失火検知に応じた制御を行うことができる。
また、センサ２，３の動作不良をもチェックできるので、劣化等に起因するセンサ自体の不具合を的確に認識し、失火の監視を適正に行える。この結果、失火の放置による二次的な不具合を防止することができる。
なお、本考案は上記の実施形態に限定されず、センサを２個以上設けて監視するようにしてもよい。
【図面の簡単な説明】
【００１７】
【図１】本考案の一実施形態である失火検知装置の電気的構成を示すブロック線図である。
【図２】同失火検知装置のセンサを示す正面図である。
【図３】同センサを示す縦断面図である。
【符号の説明】
【００１８】
１    失火検知装置
２    第１センサ
３    第２センサ
４    第１検出回路
５    第２検出回路
６    不一致判別回
１０  制御回路
【図１】
0003116556.tif 000003
【図２】
0003116556.tif 000004
【図３】
0003116556.tif 000005